(57)【要約】      （修正有）【課題】容易に且つ確実に回路板に接続固定するための調節可能なラッチセットを有するソケットコネクタを提供する。【解決手段】両端にそれぞれ、側部１３が設けられるインシュレーター１０と、前記インシュレーター１０に固設される複数の端子４０と、前記側部１３に挿設され、それぞれ弾性プレート２０と位置決め部材３０とを有する２つのラッチセットと、を備え、その内、弾性プレート２０は、前記固定穴に固設されるものであり、前記位置決め部材３０は、移動可能に前記固定穴に設けられ、且つ前記連接部に枢設されるものであることを特徴とする。【選択図】図１
0003150646.tif 000002
【実用新案登録請求の範囲】
【請求項１】
両端にそれぞれ、固定穴（１３１）を有する側部（１３）が設けられるインシュレーター（１０）と、
前記インシュレーター（１０）に固設される複数の端子（４０）と、
前記固定穴（１３１）から突出するように該各固定穴（１３１）に挿設される、それぞれ弾性プレート（２０）と位置決め部材（３０）とを有する２つのラッチセットと、を備え、
その内、弾性プレート（２０）は、前記固定穴（１３１）に固設されると共に、連結部（２１１）が形成され、更に、該固定穴（１３１）内に位置する固定部（２１）と、該固定部（２１）から前方に向かって延設される位置決め部（２２）と、該位置決め部（２２）から前方に向かって延設される弾性アーム部（２３）と、該弾性アーム部（２３）に形成される係合プレート（２３１）とを含み、
前記位置決め部材（３０）は、前記固定穴（１３１）に設置され、且つ前記弾性プレート（２０）における連結部（２１１）に枢設されると共に、固設部（３１）と、該固設部（３１）から前方に向かって延設する保持部（３２）とを含み、
前記固設部（３１）は、移動可能に前記固定穴（１３１）に設置されると共に、前記連結部（２１１）に枢設される枢設部（３１１）が設けられ、
前記保持部（３２）は、その上端中央から内側方向に延設される上部板（３２１）と、該下端全面から内側方向に延設される底部板（３２２）と、該保持部（３２）、該上部板（３２１）及び該底部板（３２２）により囲まれてなる収容空間（３２３）とを有すると共に、更に半田付け部（３２４）が形成されることを特徴とするソケットコネクタ。
【請求項２】
前記位置決め部材（３０）における収容空間（３２３）の縦幅（H３）は、前記弾性プレート（２０）における位置決め部（２２）の縦幅（T２）より大きく、該位置決め部（２２）は、収容空間（３２３）内に上下移動可能に配置されることを特徴とする請求項１に記載のソケットコネクタ。
【請求項３】
前記インシュレーター（１０）における固定穴（１３１）の縦幅（H１）は、前記位置決め部材（３０）における固設部（３１）の縦幅（T３）より大きく、該固設部（３１）は、該固定穴（１３１）内において、枢設部（３１１）を中心として回動可能であることを特徴とする請求項２に記載のソケットコネクタ。
【請求項４】
前記弾性プレート（２０）における連結部（２１１）は貫通穴であると共に、前記位置決め部材（３０）における枢設部（３１１）は、該貫通穴に枢設される枢軸であることを特徴とする請求項３に記載のソケットコネクタ。
【請求項５】
前記弾性プレート（２０）における貫通穴は、前記位置決め部材（３０）における枢軸の直径より大きく、該枢軸は、遊びがある状態で該貫通穴に枢設されることを特徴とする請求項４に記載のソケットコネクタ。
【請求項６】
前記固設部（３１）における、前記弾性プレート（２０）と対向する面に前記固定部（２１）に当接する複数の突起部（３１３）が設けられることを特徴とする請求項５に記載のソケットコネクタ。
【請求項７】
前記各弾性プレート（２０）における弾性アーム部（２３）は、位置決め部（２２）から他方の弾性プレート（２０）に向かって傾斜することを特徴とする請求項６に記載のソケットコネクタ。
【請求項８】
前記弾性プレート（２０）における固定部（２１）に、前記固定穴（１３１）の内面に係合するための係合部が形成されることを特徴とする請求項７に記載のソケットコネクタ。
【請求項９】
前記各弾性アーム部（２３）は、その上端から押止プレート（２３２）が延設されることを特徴とする請求項８に記載のソケットコネクタ。
【請求項１０】
前記位置決め部材（３０）における底部板（３２２）に、前記弾性プレート（２０）における位置決め部（２２）を前記収容空間（３２３）内に位置決めするための位置決め突起（３２５）が凸設されることを特徴とする請求項９に記載のソケットコネクタ。
【請求項１１】
前記インシュレーター（１０）は更に、前記２つの側部（１３）の間に位置するベース部（１１）と、該ベース部（１１）の前端から前方に向かって延設する端子設置部（１２）とを有し、前記複数の端子は、該端子設置部（１２）に固設されることを特徴とする請求項１乃至請求項１０の何れかに記載のソケットコネクタ。
【考案の詳細な説明】
【技術分野】
【０００１】
本考案は、特に調整式ラッチセットを有し、回路板に実装する際、より容易に且つ確実に回路板に接続固定することができるソケットコネクタに関するものである。
【背景技術】
【０００２】
一般にコネクタは、電子製品によく使用されている部品であり、例えば、ノートブック型コンピュータには、メモリーモジュールと接続するためのソケットコネクタが備えられ、このような従来のソケットコネクタは通常、回路板に取り付けられて使用するものであると共に、インシュレーター、複数の端子及び２つのラッチセットを有するものである。
【０００３】
前記インシュレーターは、回路板に固設され、また、前記２つのラッチセットは、前記インシュレーターの両端に設けられると共に、それぞれ弾性プレートと、保持部材とを有し、
前記弾性プレートは、回路板の両端に設けられる係合凹部に係合するための係合部を有し、前記保持部材は、回路板に固設されると共に、該弾性プレートに当接することにより、弾性プレートの変形を防ぐためのものである。
【考案の概要】
【考案が解決しようとする課題】
【０００４】
しかしながら、前記インシュレーター、弾性プレート、保持部材及び回路板は単一部品であり、それぞれの許容寸法公差内で製作されたものであるが、製作誤差が生じた場合、それらの部品を組立てる際に、該弾性プレートと保持部材とを組み合わせることができなくなり、前記保持部材を回路板に取り付けることができなくなってしまうのみならず、前記弾性プレートが所定位置からずれてしまうことから、ソケットコネクタを前記メモリーモジュールに接続できないという欠点があった。
【０００５】
そこで、案出されたのが本考案であって、位置が調節可能なラッチセットが備えられることにより、回路板に実装する際に、より容易に且つ確実に回路板に接続固定することができるソケットコネクタを提供することを目的としている。
【課題を解決するための手段】
【０００６】
本願の請求項１の考案は、両端にそれぞれ、固定穴（１３１）を有する側部（１３）が設けられるインシュレーター（１０）と、
前記インシュレーター（１０）に固設される複数の端子（４０）と、
前記固定穴（１３１）から突出するように該各固定穴（１３１）に挿設される、それぞれ弾性プレート（２０）と位置決め部材（３０）とを有する２つのラッチセットと、を備え、
その内、弾性プレート（２０）は、前記固定穴（１３１）に固設されると共に、連結部（２１１）が形成され、更に、該固定穴（１３１）内に位置する固定部（２１）と、該固定部（２１）から前方に向かって延設される位置決め部（２２）と、該位置決め部（２２）から前方に向かって延設される弾性アーム部（２３）と、該弾性アーム部（２３）に形成される係合プレート（２３１）とを含み、
前記位置決め部材（３０）は、前記固定穴（１３１）に設置され、且つ前記弾性プレート（２０）における連結部（２１１）に枢設されると共に、固設部（３１）と、該固設部（３１）から前方に向かって延設する保持部（３２）とを含み、
前記固設部（３１）は、移動可能に前記固定穴（１３１）に設置されると共に、前記連結部（２１１）に枢設される枢設部（３１１）が設けられ、
前記保持部（３２）は、その上端中央から内側方向に延設される上部板（３２１）と、該下端全面から内側方向に延設される底部板（３２２）と、該保持部（３２）、該上部板（３２１）及び該底部板（３２２）により囲まれてなる収容空間（３２３）とを有すると共に、更に半田付け部（３２４）が形成されることを特徴とするソケットコネクタ、を提供する。
【０００７】
本願の請求項２の考案は、前記位置決め部材（３０）における収容空間（３２３）の縦幅（H３）は、前記弾性プレート（２０）における位置決め部（２２）の縦幅（T２）より大きく、該位置決め部（２２）は、収容空間（３２３）内に上下移動可能に配置されることを特徴とする請求項１に記載のソケットコネクタ、を提供する。
【０００８】
本願の請求項３の考案は、前記インシュレーター（１０）における固定穴（１３１）の縦幅（H１）は、前記位置決め部材（３０）における固設部（３１）の縦幅（T３）より大きく、該固設部（３１）は、該固定穴（１３１）内において、枢設部（３１１）を中心として回動可能であることを特徴とする請求項２に記載のソケットコネクタ、を提供する。
【０００９】
本願の請求項４の考案は、前記弾性プレート（２０）における連結部（２１１）は貫通穴であると共に、前記位置決め部材（３０）における枢設部（３１１）は、該貫通穴に枢設される枢軸であることを特徴とする請求項３に記載のソケットコネクタ、を提供する。
【００１０】
本願の請求項５の考案は、前記弾性プレート（２０）における貫通穴は、前記位置決め部材（３０）における枢軸の直径より大きく、該枢軸は、遊びがある状態で該貫通穴に枢設されることを特徴とする請求項４に記載のソケットコネクタ、を提供する。
【００１１】
本願の請求項６の考案は、前記固設部（３１）における、前記弾性プレート（２０）と対向する面に前記固定部（２１）に当接する複数の突起部（３１３）が設けられることを特徴とする請求項５に記載のソケットコネクタ、を提供する。
【００１２】
本願の請求項７の考案は、前記各弾性プレート（２０）における弾性アーム部（２３）は、位置決め部（２２）から他方の弾性プレート（２０）に向かって傾斜することを特徴とする請求項６に記載のソケットコネクタ、を提供する。
【００１３】
本願の請求項８の考案は、前記弾性プレート（２０）における固定部（２１）に、前記固定穴（１３１）の内面に係合するための係合部が形成されることを特徴とする請求項７に記載のソケットコネクタ、を提供する。
【００１４】
本願の請求項９の考案は、前記各弾性アーム部（２３）は、その上端から押止プレート（２３２）が延設されることを特徴とする請求項８に記載のソケットコネクタ、を提供する。
【００１５】
本願の請求項１０の考案は、前記位置決め部材（３０）における底部板（３２２）に、前記弾性プレート（２０）における位置決め部（２２）を前記収容空間（３２３）内に位置決めするための位置決め突起（３２５）が凸設されることを特徴とする請求項９に記載のソケットコネクタ、を提供する。
【００１６】
本願の請求項１１の考案は、前記位置決め部材（３０）における底部板（３２２）に、前記弾性プレート（２０）における位置決め部（２２）を前記収容空間（３２３）内に位置決めするための位置決め突起（３２５）が凸設されることを特徴とする請求項９に記載のソケットコネクタ、を提供する。
【考案の効果】
【００１７】
本考案は上記の課題を解決するものであり、各位置決め部材における固接部は、移動可能に対応する固定穴に設けられ、且つ弾性プレートにおける固定部に枢設され、該位置決め部材は、弾性プレート及びインシュレーターに対してやや回動することができる構成であることから、該インシュレーターが歪みなく回路板に半田付けされているかどうかにかかわらず、該位置決め部材における保持部の位置を調整することができ、これにより、半田付け部を確実に回路板に半田付けすることができるので、実装ミスを防止することができる。
【図面の簡単な説明】
【００１８】
【図１】本考案に係るソケットコネクタの斜視図である。
【図２】本考案に係るソケットコネクタの分解斜視図である。
【図３】本考案に係るソケットコネクタとメモリーモジュールとを接続した状態を示す部分拡大平面図である。
【図４】本考案に係るソケットコネクタにおけるラッチセットの斜視図である。
【図５】本考案に係るソケットコネクタにおけるラッチセットの分解斜視図である。
【図６】本考案に係るソケットコネクの正面視拡大断面図である。
【図７】本考案に係るソケットコネクの側面視断面図である。
【図８】ラッチセットにおける弾性プレートの移動状態を示す側面図である。
【図９】ラッチセットにおける弾性プレートの移動状態を示す側面図である。
【考案を実施するための形態】
【００１９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２０】
図１は本考案に係るソケットコネクタの斜視図であり、図２は本考案に係るソケットコネクタの分解斜視図であり、図３は本考案に係るソケットコネクタとメモリーモジュールとを接続した状態を示す部分拡大平面図であり、図４は本考案に係るソケットコネクタにおけるラッチセットの斜視図であり、図５は本考案に係るソケットコネクタにおけるラッチセットの分解斜視図であり、図６は本考案に係るソケットコネクの正面視拡大断面図であり、図７は本考案に係るソケットコネクの側面視断面図であり、図８及び図９はラッチセットにおける弾性プレートの移動状態を示す側面図である。
【００２１】
図１乃至図３に示すように、本考案に係るソケットコネクタは、例えばＤＲＡＭ（Dynamic Random Access Memory）など、両端に係合凹部（N）を有するメモリーモジュール（P）との接続に用いるものであり、該ソケットコネクタは、インシュレーター（１０）と、複数の端子（４０）と、２つのラッチセットとを備えるものである。
【００２２】
前記インシュレーター（１０）は、ベース部（１１）と、該ベース部（１１）の前端から前方に向かって延設する端子設置部（１２）と、該ベース部（１１）の両端にそれぞれ設けられる側部（１３）とを含むものであり、該端子設置部（１２）に複数の端子溝（１２１）が形成されると共に、該各側部（１３）に固定穴（１３１）が形成される。
【００２３】
前記複数の端子（４０）は、前記インシュレーター（１０）における端子設置部（１２）に固設され、それぞれ対応する前記端子溝（１２１）に位置するものである。
図４乃至図６に示すように、前記２つのラッチセットはそれぞれ、弾性プレート（２０）と、位置決め部材（３０）とからなり、前記固定穴（１３１）から突出するように該固定穴（１３１）に挿設されるものである。
【００２４】
前記弾性プレート（２０）は、前記固定穴（１３１）に固設されると共に、固定部（２１）、位置決め部（２２）、弾性アーム部（２３）、係合プレート（２３１）及び押止プレート（２３２）を含み、その内、固定部（２１）は、連結部（２１１）を有すると共に、該固定穴（１３１）内に位置するものであり、
前記位置決め部（２２）は、前記固定部（２１）から前方に向かって延設されものであり、
前記弾性アーム部（２３）は、前記位置決め部（２２）から前方、且つ他方の弾性プレート（２０）に向かって傾斜する形状を呈するものである
前記係合プレート（２３１）は、前記弾性アーム部（２３）の上端から下方に向かって斜めに湾曲するように延設され、前記メモリーモジュール（P）における係合凹部（N）に係合可能なものである
前記押止プレート（２３２）は、前記弾性アーム部（２３）の上端から下方に向かって斜めに湾曲するように、前記係合プレート（２３１）より短めに延設される形状を呈することから、前記メモリーモジュール（P）の上面に当接可能な構成を有するので、該メモリーモジュール（P）のソケットコネクタからの脱落を防止できる。
前記連結部（２１１）は貫通穴であってもよく、また、前記固定部（２１）には、前記固定穴（１３１）の内面に係合するための係合部が形成され、これにより、前記弾性プレート（２０）をより確実に前記インシュレーター（１０）に固定することができる。
【００２５】
前記位置決め部材（３０）は、前記固定穴（１３１）に設置され、且つ前記弾性プレート（２０）における連結部（２１１）に枢設されると共に、固設部（３１）と、保持部（３２）とを含む。
前記固設部（３１）は、移動可能に前記固定穴（１３１）に設置されると共に、前記連結部（２１１）に枢設される枢設部（３１１）が設けられ、該枢設部（３１１）は、前記貫通穴に枢設される枢軸であってもよい。また、前記固設部（３１）における、前記弾性プレート（２０）と対向する面に前記固定部（２１）に当接する複数の突起部（３１３）が設けられ、これにより、前記位置決め部材（３０）は、間隙を設けて該弾性プレート（２０）と隣接するので、該弾性プレート（２０）が前記連結部（２１１）を中心として回動する際に生じる磨耗を軽減することができる。
【００２６】
前記保持部（３２）は、前記固設部（３１）から前方に向かって延設され、その上端中央から内側方向に延設される上部板（３２１）と、該下端全面から内側方向に延設される底部板（３２２）と、該保持部（３２）、該上部板（３２１）及び該底部板（３２２）により囲まれてなる収容空間（３２３）と、半田付け部（３２４）とを有する。
そして、前記半田付け部（３２４）を前記回路板（図示せず）に半田付けすることにより、ソケットコネクタを回路板に確実に接続し固定することができると共に、前記底部板（３２２）上に、前記弾性プレート（２０）における位置決め部（２２）を前記収容空間（３２３）内に位置決めするための位置決め突起（３２５）を凸設することにより、該弾性プレート（２０）の収容空間（３２３）からの脱落を防止することができる。
【００２７】
図７に示すように、本実施例においては、インシュレーター（１０）における固定穴（１３１）が前記位置決め部材（３０）における固設部（３１）の厚さより大きく形成されるので、該固設部（３１）は、枢設部（３１１）を中心として該固定穴（１３１）内において回動可能となる。
図８及び図９に示すように、位置決め部材（３０）における収容空間（３２３）の縦幅は、弾性プレート（２０）における位置決め部（２２）の縦幅より大きく形成されるので、該位置決め部（２２）は、該収容空間（３２３）内において上下移動可能となる。
また、本実施例においては、前記弾性プレート（２０）における貫通穴が、前記位置決め部材（３０）における枢軸の直径より大きく形成されるので、該枢軸は、遊びがある状態で該貫通穴に枢設される。
【産業上の利用可能性】
【００２８】
本考案は上記の構成を有するので、回路板に実装する際、位置決め部材における保持部の位置を調整することにより、ソケットコネクタを確実に回路板に固定することができので、実装ミスを防止することができる。
【符号の説明】
【００２９】
１０        インシュレーター
１１        ベース部
１２        端子設置部
１２１      端子溝
１３        側部
１３１      固定穴
２０        弾性プレート
２１        固定部
２１１      連結部
２２        位置決め部
２３        弾性アーム部
２３１      係合プレート
２３２      押止プレート
３０        位置決め部材
３１        固設部
３１１      枢設部
３１３      突起部
３２        保持部
３２１      上部板
３２２      底部板
３２３      収容空間
３２４      半田付け部
３２５      位置決め突起
４０        端子
Ｈ１、Ｈ３    縦幅
Ｔ２、Ｔ３    縦幅
【図１】
0003150646.tif 000003
【図２】
0003150646.tif 000004
【図３】
0003150646.tif 000005
【図４】
0003150646.tif 000006
【図５】
0003150646.tif 000007
【図６】
0003150646.tif 000008
【図７】
0003150646.tif 000009
【図８】
0003150646.tif 000010
【図９】
0003150646.tif 000011